(57)【要約】【課題】縦材が木材に安定した状態でバランス良く固定され、縦材が木材に対し相対的に回動するおそれのない木製残存型枠を提供する。【解決手段】縦材（２１）と、上下に積み重ねた状態で該縦材に固定した水平方向の木材（２３）とよりなる木製残存型枠において、前記縦材として平板状基部（４９）の両縁に側壁部（５１）（５３）を突設してなる溝形鋼（４１）を用い、該溝形鋼における平板状基部の外面に木材を当接させ、該溝形鋼における両縁の側壁部には折返し部（５５）を備えた折返し部付き座金（５７）における該折返し部を係止させ、該折返し部付き座金を固着具（５９）により木材に固着することによって該溝形鋼に木材を固定したことを特徴とする木製残存型枠。【選択図】図１
0003106211.tif 000002
【実用新案登録請求の範囲】
【請求項１】
縦材と、上下に積み重ねた状態で該縦材に固定した水平方向の木材とよりなる木製残存型枠において、
前記縦材として平板状基部の両縁に側壁部を突設してなる溝形鋼を用い、該溝形鋼における平板状基部の外面に木材を当接させ、該溝形鋼における両縁の側壁部には折返し部を備えた折返し部付き座金における該折返し部を係止させ、該折返し部付き座金を固着具により木材に固着することによって該溝形鋼に木材を固定したことを特徴とする木製残存型枠。
【請求項２】
縦材と、上下に積み重ねた状態で該縦材に固定した水平方向の木材とよりなる木製残存型枠において、
前記縦材として平板状基部の中央に壁部を突設してなるＴ形鋼を用い、該Ｔ形鋼における平板状基部の外面に木材を当接させ、該Ｔ形鋼の平板状基部における壁部の両側に座金を係止させ、該座金を固着具により木材に固着することによって該Ｔ形鋼に木材を固定したことを特徴とする木製残存型枠。
【請求項３】
縦材と、上下に積み重ねた状態で該縦材に固定した水平方向の木材とよりなる木製残存型枠において、
前記縦材として一対の山形鋼を背中合わせに固定することにより形成した平板状基部の中央に壁部を備えさせてなる断面略Ｔ状体を用い、該断面略Ｔ状体における平板状基部の外面に木材を当接させ、該断面略Ｔ状体の平板状基部における壁部の両側に座金を係止させ、該座金を固着具により木材に固着することによって該断面略Ｔ状体に木材を固定したことを特徴とする木製残存型枠。
【請求項４】
縦材と、上下に積み重ねた状態で該縦材に固定した水平方向の木材とよりなる木製残存型枠において、
前記縦材として山形鋼を用い、該山形鋼における一辺の外面に木材を当接させ、該山形鋼における当該一辺には座金を係止させると共に該座金を固着具により木材に固着し、該山形鋼における他の一辺には折返し部を備えた折返し部付き座金における該折返し部を係止させ、該折返し部付き座金を固着具により木材に固着することによって該山形鋼に木材を固定したことを特徴とする木製残存型枠。
【請求項５】
前記Ｔ形鋼の平板状基部における壁部の両側、前記断面略Ｔ状体の平板状基部における壁部の両側又は前記山形鋼における一辺に係止させる座金は、該Ｔ形鋼、断面略Ｔ状体又は山形鋼から離れている側の縁部を木材方向に屈曲させたことを特徴とする請求項２〜４のいずれかに記載の木製残存型枠。
【考案の詳細な説明】
【技術分野】
【０００１】
本考案は、木製残存型枠に関するものであり、例えば、土砂の崩壊防止用等のコンクリート構造物を形成する際にはコンクリート打設用の型枠として用いられ、コンクリートの硬化後も除去されることなく引き続き該コンクリート構造物の表面に残存させるようにした木製残存型枠に係るものである。
【背景技術】
【０００２】
このような木製残存型枠は、実用新案登録第３０９５３４２号公報により開示されている。
【０００３】
実用新案登録第３０９５３４２号公報が開示している木製残存型枠（以下「従来の木製残存型枠」という。）は、図１０〜図１２に示すように、水平方向の間伐材１、１・・・を上下に積み重ねた状態で縦材３に固定してなるものである。
【０００４】
従来の木製残存型枠においては、縦材３として、軽溝形鋼３ａ（図１０参照）又はリップ溝形鋼３ｂ（図１１参照）が用いられている。
【０００５】
縦材３として軽溝形鋼３ａが用いられる場合には、図１０に示すように、軽溝形鋼３ａにおける一方の側壁部５の外面にターポリン紙７を介して間伐材１を当接させ、当該一方の側壁部５の内面に座金９を当て、該座金９を貫くコーチスクリュー１１を間伐材１にねじ込むことにより該軽溝形鋼３ａに間伐材１を固定している。
【０００６】
縦材３としてリップ溝形鋼３ｂが用いられる場合には、図１１に示すように、リップ溝形鋼３ｂにおける一方の側壁部１３の外面にターポリン紙７を介して間伐材１を当接させ、当該一方の側壁部１３のリップ部（フランジ部）１５にクランク座金１７を係止させ、該クランク座金１７を貫くコーチスクリュー１１を間伐材１にねじ込むことにより該リップ溝形鋼３ｂに間伐材１を固定している。
【特許文献１】実用新案登録第３０９５３４２号公報
【考案の開示】
【考案が解決しようとする課題】
【０００７】
上記従来の木製残存型枠においては、軽溝形鋼３ａ又はリップ溝形鋼３ｂにおける一方の側壁部５又は１３の外面に間伐材１を当接させ、該軽溝形鋼３ａ又はリップ溝形鋼３ｂにおける一方の側壁部５又は１３に座金９又はクランク座金１７を関連させ、該座金９又はクランク座金１７を貫くコーチスクリュー１１を間伐材１にねじ込むことにより該軽溝形鋼３ａ又はリップ溝形鋼３ｂに間伐材１を固定するようにしているため、該座金９又はクランク座金１７とコーチスクリュー１１は、図１２に示すように、木製残存型枠の内側からみて、縦材３（軽溝形鋼３ａ又はリップ溝形鋼３ｂ）の一方の側（図１２における右側）にのみ配設されることになる。
【０００８】
従って、縦材３（軽溝形鋼３ａ又はリップ溝形鋼３ｂ）は、図１０、図１１の矢印に示すように、間伐材１に対し、当該一方の側に相対的に回動する傾向がある。換言すれば、縦材３と間伐材１との位置関係にずれが生ずる傾向がある。
【０００９】
また、座金９又はクランク座金１７とコーチスクリュー１１とが縦材３（軽溝形鋼３ａ又はリップ溝形鋼３ｂ）の一方の側にのみ配設されるため、縦材３を介して間伐材１と間伐材１とを長さ方向に接続すること（図３参照）はできない。
【００１０】
更に、縦材３としてリップ溝形鋼３ｂを用いる場合には、該リップ溝形鋼３ｂ内にコンクリートが十分に入りにくいという問題もある。
【００１１】
本考案は、上記従来の木製残存型枠における上述の如き問題を解決しようとしてなされたものである。
【課題を解決するための手段】
【００１２】
上記課題を解決するために、本考案は、下記の木製残存型枠を提供する。
【００１３】
（１）縦材と、上下に積み重ねた状態で該縦材に固定した水平方向の木材とよりなる木製残存型枠において、
前記縦材として平板状基部の両縁に側壁部を突設してなる溝形鋼を用い、該溝形鋼における平板状基部の外面に木材を当接させ、該溝形鋼における両縁の側壁部には折返し部を備えた折返し部付き座金における該折返し部を係止させ、該折返し部付き座金を固着具により木材に固着することによって該溝形鋼に木材を固定したことを特徴とする木製残存型枠（請求項１）。
【００１４】
（２）縦材と、上下に積み重ねた状態で該縦材に固定した水平方向の木材とよりなる木製残存型枠において、
前記縦材として平板状基部の中央に壁部を突設してなるＴ形鋼を用い、該Ｔ形鋼における平板状基部の外面に木材を当接させ、該Ｔ形鋼の平板状基部における壁部の両側に座金を係止させ、該座金を固着具により木材に固着することによって該Ｔ形鋼に木材を固定したことを特徴とする木製残存型枠（請求項２）。
【００１５】
（３）縦材と、上下に積み重ねた状態で該縦材に固定した水平方向の木材とよりなる木製残存型枠において、
前記縦材として一対の山形鋼を背中合わせに固定することにより形成した平板状基部の中央に壁部を備えさせてなる断面略Ｔ状体を用い、該断面略Ｔ状体における平板状基部の外面に木材を当接させ、該断面略Ｔ状体の平板状基部における壁部の両側に座金を係止させ、該座金を固着具により木材に固着することによって該断面略Ｔ状体に木材を固定したことを特徴とする木製残存型枠（請求項３）。
【００１６】
（４）縦材と、上下に積み重ねた状態で該縦材に固定した水平方向の木材とよりなる木製残存型枠において、
前記縦材として山形鋼を用い、該山形鋼における一辺の外面に木材を当接させ、該山形鋼における当該一辺には座金を係止させると共に該座金を固着具により木材に固着し、該山形鋼における他の一辺には折返し部を備えた折返し部付き座金における該折返し部を係止させ、該折返し部付き座金を固着具により木材に固着することによって該山形鋼に木材を固定したことを特徴とする木製残存型枠（請求項４）。
【００１７】
（５）前記（２）（３）（４）の木製残存型枠において、前記Ｔ形鋼の平板状基部における壁部の両側、前記断面略Ｔ状体の平板状基部における壁部の両側又は前記山形鋼における一辺に係止させる座金は、該Ｔ形鋼、断面略Ｔ状体又は山形鋼から離れている側の縁部を木材方向に屈曲させる（請求項５）。
【考案の効果】
【００１８】
本考案によれば、縦材の両縁に座金を係止させた状態で該座金を固着具により木材に固定しているため、縦材は木材に安定した状態でバランス良く固定される。従って、縦材が木材に対し相対的に回動するおそれは全くない。
【００１９】
また、縦材の両縁に座金を係止させた状態で該座金を固着具により木材に固定しているため、木材を縦材の両側にて該縦材に固定することができる。従って、図３に示すように、２本の木材の端を縦材の中心に対応する位置にて相互に当接させた状態で各木材を座金と固着具とにより該縦材に固定することによって、当該２本の木材を長さ方向に接続することができる。
【００２０】
縦材は、溝形鋼、Ｔ形鋼、断面略Ｔ状体、山形鋼であるため、該縦材内にもコンクリートは十分に入り込む。
【００２１】
請求項５においては、座金は縦材から離れている側の縁部を木材方向に屈曲させているため、該座金は縦材の対応面に面状に接触する。従って、縦材は木材により強固に固定される。
【考案を実施するための最良の形態】
【００２２】
本考案による木製残存型枠は、縦材２１と、上下に積み重ねた状態で該縦材２１に固定した水平方向の木材２３、２３・・・とよりなる点においては、前記従来の木製残存型枠と共通している。
【００２３】
縦材２１は、適宜の間隔を置いて基礎２５又は既に形成された下側のコンクリート構造物２７上に固定される。
【００２４】
木材２３は、例えば間伐材等の丸太が好ましく用いられるが、角材であっても差し支えない。木材２３は、ターポリン紙又はヤシ繊維等の吸出し防止材２４を介して縦材２１に固定される。
【００２５】
図１における符号２９に示すものは、コンクリートの硬化後に除去される型枠であり、符号３１に示すものは、基礎２５又は既に形成された下側のコンクリート構造物２７に固定されたアンカーである。
【００２６】
縦材２１は、タイ材３３、３５を介して型枠２９とアンカー３１とに連結される。
【００２７】
しかして、本考案においては、縦材２１として溝形鋼４１、Ｔ形鋼４３、断面略Ｔ状体４５又は山形鋼４７が用いられる。
【００２８】
まず、縦材２１として溝形鋼４１が用いられる事例について、図２〜図４を参照して説明する。
【００２９】
溝形鋼４１は、平板状基部４９の両縁に側壁部５１、５３を突設してなるものである。
【００３０】
溝形鋼４１における平板状基部４９の外面に木材２３を当接させ、該溝形鋼４１における両縁の側壁部５１、５３には折返し部５５を備えた折返し部付き座金５７における該折返し部５５を係止させ、該折返し部付き座金５７を固着具５９により木材２３に固着することによって該溝形鋼４１に木材２３を固定する。固着具５９としては、好ましくは折返し部付き座金５７を貫通するコーチスクリューを用い、該コーチスクリューを木材２３にねじ込むことにより該溝形鋼４１に木材２３を固定する。
【００３１】
折返し部付き座金５７は、すべての木材２３、２３・・・につき溝形鋼４１における両縁の側壁部５１、５３にそれぞれ取り付けてもよいが、図４に示す如く、各木材２３について折返し部付き座金５７が１個ずつ使用されるように、溝形鋼４１における各縁の側壁部５１、５３に木材１本置きに交互に取り付けてもよい。
【００３２】
縦材２１としてＴ形鋼４３が用いられる事例について、図５〜図６を参照して説明する。
【００３３】
Ｔ形鋼４３は、平板状基部６１の中央に壁部６３を突設してなるものである。
【００３４】
Ｔ形鋼４３における平板状基部６１の外面に木材２３を当接させ、該Ｔ形鋼４３の平板状基部６１における壁部６３の両側に座金６５、６５を係止させ、該座金６５、６５を固着具５９により木材２３に固着することによって該Ｔ形鋼４３に木材２３を固定する。固着具５９としては、好ましくは座金６５を貫通するコーチスクリューを用い、該コーチスクリューを木材２３にねじ込むことにより該Ｔ形鋼４３に木材２３を固定する。
【００３５】
縦材２１として断面略Ｔ状体４５が用いられる事例について、図７を参照して説明する。
【００３６】
断面略Ｔ状体４５は、一対の山形鋼６９、６９を背中合わせに固定することにより平板状基部７１の中央に壁部７３を備えさせてなるものである。一対の山形鋼６９、６９を背中合わせに固定する際には、図９に示すように該山形鋼６９、６９を相互に溶接してもよいが、図７に示す事例においては壁部７３を貫通するクリップ７５により山形鋼６９、６９を相互に固定している。
【００３７】
断面略Ｔ状体４５における平板状基部７１の外面に木材２３を当接させ、該断面略Ｔ状体４５の平板状基部７１における壁部７３の両側に座金６５、６５を係止させ、該座金６５、６５を固着具５９により木材２３に固着することによって該断面略Ｔ状体４５に木材２３を固定する。固着具５９としては、好ましくは座金６５を貫通するコーチスクリューを用い、該コーチスクリューを木材２３にねじ込むことにより該断面略Ｔ状体４５に木材２３を固定する。
【００３８】
縦材２１として山形鋼４７が用いられる事例について、図８を参照して説明する。
【００３９】
山形鋼４７における一辺７７の外面に木材２３を当接させ、該山形鋼４７における当該一辺７７には座金６５を係止させると共に該座金６５を固着具５９により木材２３に固着し、該山形鋼４７における他の一辺７９には折返し部８１を備えた折返し部付き座金８３における該折返し部８１を係止させ、該折返し部付き座金８３を固着具５９により木材２３に固着することによって該山形鋼４７に木材２３を固定する。固着具５９としては、好ましくはそれぞれ座金６５と折返し部付き座金８３とを貫通するコーチスクリューを用い、該コーチスクリューを木材２３にねじ込むことにより、それぞれ座金６５と折返し部付き座金８３を木材２３に固着する。
【００４０】
図９に示す座金８７は、縦材２１から離れている側の縁部を木材２３方向に屈曲させて屈曲部８９を形成している。この屈曲部８９は、固着具５９を締めつけたときに、木材２３中に食い込む。
【００４１】
この座金８７は、前記座金６５に代えて、前記Ｔ形鋼４３の平板状基部６１における壁部６３の両側、前記断面略Ｔ状体４５の平板状基部７１における壁部７３の両側又は前記山形鋼４７における一辺７７に係止させてもよい。
【００４２】
本考案による木製残存型枠は、予め組立てたものを重機等により吊下げて現場に搬入し、所定の位置に据え付けることもできる。このような手法を採ることにより、作業効率は向上する。
【図面の簡単な説明】
【００４３】
【図１】本考案による木製残存型枠の一例を示す側面図である。
【図２】図１のＩＩ−ＩＩ線における断面図である。
【図３】同上木製残存型枠の変形例を示す断面図である。
【図４】図１の矢印Ａ方向から見た同上木製残存型枠の正面図である。
【図５】木製残存型枠の別の一例を示す断面図である。
【図６】図１の矢印Ａ方向から見た同上木製残存型枠の正面図である。
【図７】木製残存型枠の更に別の一例を示す断面図である。
【図８】木製残存型枠の更に別の一例を示す断面図である。
【図９】木製残存型枠の更に別の一例を示す断面図である。
【図１０】従来の木製残存型枠を示す断面図である。
【図１１】従来の木製残存型枠の別の一例を示す断面図である。
【図１２】図１の矢印Ａと同様の方向から見た従来の木製残存型枠の正面図である。
【符号の説明】
【００４４】
１  間伐材
３  縦材
３ａ  軽溝形鋼
３ｂ  リップ溝形鋼
５  側壁部
７  ターポリン紙
９  座金
１１  コーチスクリュー
１３  側壁部
１５  リップ部
１７  クランク座金
２１  縦材
２３  木材
２４  ターポリン紙又はヤシ繊維等の吸出し防止材
２５  基礎
２７  下側のコンクリート構造物
２９  型枠
３１  アンカー
３３  タイ材
３５  タイ材
４１  溝形鋼
４３  Ｔ形鋼
４５  断面略Ｔ状体
４７  山形鋼
４９  平板状基部
５１  側壁部
５３  側壁部
５５  折返し部
５７  折返し部付き座金
５９  固着具
６１  平板状基部
６３  壁部
６５  座金
６９  山形鋼
７１  平板状基部
７３  壁部
７５  クリップ
７７  一辺
７９  他の一辺
８１  折返し部
８３  折返し部付き座金
８７  座金
８９  屈曲部
【図１】
0003106211.tif 000003
【図２】
0003106211.tif 000004
【図３】
0003106211.tif 000005
【図４】
0003106211.tif 000006
【図５】
0003106211.tif 000007
【図６】
0003106211.tif 000008
【図７】
0003106211.tif 000009
【図８】
0003106211.tif 000010
【図９】
0003106211.tif 000011
【図１０】
0003106211.tif 000012
【図１１】
0003106211.tif 000013
【図１２】
0003106211.tif 000014